【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
複数の媒体アクセス制御（ＭＡＣ）インスタンスに物理レイヤリソースを提供するための方法であって、
無線送信／受信ユニット（ＷＴＲＵ）が、第１のサービングサイトから受信した第１のアップリンクグラントにしたがって、前記第１のサービングサイトに第１の送信を送るために第１の物理レイヤ構成を利用するステップであり、第１のＭＡＣインスタンスが前記第１のサービングサイトによってサービス提供される１つまたは複数のセルの第１のグループに関連付けられている、ステップと、
前記ＷＴＲＵが、第２のサービングサイトから受信した第２のアップリンクグラントにしたがって、前記第２のサービングサイトに第２の送信を送るために第２の物理レイヤ構成を利用するステップであり、第２のＭＡＣインスタンスが前記第２のサービングサイトによってサービス提供される１つまたは複数のセルの第２のグループに関連付けられている、ステップと、
前記ＷＴＲＵが、１つまたは複数の優先度規則に基づいて、前記第１のサービングサイトへ送られる前記第１のＭＡＣインスタンスに関連付けられた前記第１の送信と前記第２のサービングサイトへ送られる前記第２のＭＡＣインスタンスに関連付けられた前記第２の送信との間で少なくとも送信電力の一部を割り当てるステップであり、前記１つまたは複数の優先度規則は、第１のタイプのアップリンク制御情報（ＵＣＩ）を含む送信を第２のタイプのＵＣＩを含む送信より優先することを含む、ステップと
を含むことを特徴とする方法。
【請求項２】
前記第１の送信が前記第１タイプのＵＣＩを含み、前記第２の送信が前記第２タイプのＵＣＩを含み、前記第１タイプのＵＣＩを含む前記第１の送信および前記第２タイプのＵＣＩを含む前記第２の送信に基づき、前記第１の送信と前記第２の送信との間で少なくとも前記送信電力の前記一部を割り当てるときに、前記第１の送信はより高い優先度を与えられることを特徴とする請求項１に記載の方法。
【請求項３】
前記第２の送信に割り当てられる送信電力は、前記第２の送信よりもより高い優先度を与えられている前記第１の送信に基づいて、増減されることを特徴とする請求項２に記載の方法。
【請求項４】
前記第１の送信と前記第２の送信が同じタイプのＵＣＩを含み、前記１つまたは複数の優先度規則は、前記第１の送信および前記第２の送信が同じタイプのＵＣＩを含むことを条件に、副ＭＡＣインスタンス（secondary MAC instance）に関連づけられた送信よりも主ＭＡＣインスタンス（primary MAC instance）に関連付けられた送信を優先することを含むことを特徴とする請求項１に記載の方法。
【請求項５】
前記第１の送信および前記第２の送信は異なる周波数帯域で実行されることを特徴とする請求項１に記載の方法。
【請求項６】
前記ＷＴＲＵは、前記第１のＭＡＣインスタンスおよび前記第２のＭＡＣインスタンスに関連付けられた時間の一部において少なくとも重複する送信についての最大送信電力とともに構成されることを特徴とする請求項５に記載の方法。
【請求項７】
前記ＷＴＲＵは、前記第１のＭＡＣインスタンスに関連付けられた前記１つまたは複数のセルの第１のグループまたは前記第２のＭＡＣインスタンスに関連付けられた前記１つまたは複数のセルの第２のグループのうちの１または複数のセルに送信するための最大送信電力とともに構成されることを特徴とする請求項１に記載の方法。
【請求項８】
前記第１のＭＡＣインスタンスに関連付けられた前記１つまたは複数のセルの第１のグループについての受信した第１のアップリンクグラントに従って送信すること、および前記第２のＭＡＣインスタンスに関連付けられた前記１つまたは複数のセルの第２のグループについての受信した第２のアップリンクグラントに従って送信することは、前記第１の送信に割り当てられる前記送信電力または前記第２の送信に割り当てられる前記送信電力の少なくとも１つを増減しなければ、前記ＷＴＲＵが前記最大送信電力を超える結果になると決定するステップをさらに含むことを特徴とする請求項７に記載の方法。
【請求項９】
前記１つまたは複数の優先度規則に基づいて、前記第１の送信に割り当てられる電力または前記第２の送信に割り当てられる電力のうちの１または複数を増減させるステップであり、前記第１の送信に含まれる前記ＵＣＩよりもより低い優先度に関連付けられたＵＣＩを前記第２の送信が含んでいることに基づいて、前記第２の送信に割り当てられる前記電力が少なくとも増減される、ステップをさらに含むことを特徴とする請求項８に記載の方法。
【請求項１０】
前記第２の送信に割り当てられる前記電力を増減することは、初めに、前記第１の送信に電力を割り当て、前記最大送信電力まで残りの電力を前記第２の送信に割り当てることを含むことを特徴とする請求項９に記載の方法。
【請求項１１】
前記第１のタイプのＵＣＩはハイブリッド自動再送要求（ＨＡＲＱ）ＡＣＫ／ＮＡＣＫフィードバックに対応し、前記第２のタイプのＵＣＩはチャネル状態情報（ＣＳＩ）フィードバックに対応し、前記ＨＡＲＱ ＡＣＫ／ＮＡＣＫフィードバックを含む前記第１の送信が、前記ＣＳＩフィードバックを含む前記第２の送信より優先されることを特徴とする請求項２に記載の方法。
【請求項１２】
前記第１のサービングサイトへのキャリアアグリゲーション送信を実行するために前記ＷＴＲＵにより１つまたは複数のセルの第１のグループが使用され、前記第２のサービングサイトへのキャリアアグリゲーション送信を実行するために前記ＷＴＲＵにより１つまたは複数のセルの第２のグループが使用されることを特徴とする請求項９に記載の方法。
【請求項１３】
無線送信／受信ユニット（ＷＴＲＵ）であって、
１つまたは複数のセルの第１のグループに関連付けられている第１のＭＡＣインスタンスおよび１つまたは複数のセルの第２のグループに関連付けられている第２のＭＡＣインスタンスを含む、複数の媒体アクセス制御（ＭＡＣ）インスタンスと、
前記第１のＭＡＣインスタンスに適用可能な第１のアップリンクグラントにしたがって第１のサービングサイトに第１の送信を送るために第１の物理レイヤ構成を用いて動作し、前記第１のアップリンクグラントは前記第１のサービングサイトから受信されたものであり、
前記第２のＭＡＣインスタンスに適用可能な第２のアップリンクグラントにしたがって第２のサービングサイトに第２の送信を送るために第２の物理レイヤ構成を用いて動作し、前記第２のアップリンクグラントは前記第２のサービングサイトから受信されたものであり、
第１のタイプのアップリンク制御情報（ＵＣＩ）を含む送信を第２のタイプのＵＣＩを含む送信より優先することを含む１つまたは複数の優先度規則に基づいて、前記第１のサービングサイトへ送られる前記第１のＭＡＣインスタンスに関連付けられた前記第１の送信と前記第２のサービングサイトへ送られる前記第２のＭＡＣインスタンスに関連付けられた前記第２の送信との間で少なくとも送信の一部を割り当てる
ように構成された物理レイヤエンティティと
を備えた、ことを特徴とするＷＴＲＵ。
【請求項１４】
前記第１のＭＡＣインスタンスおよび前記第２のＭＡＣインスタンスは、前記１つまたは複数のセルの第１のグループに関連付けられた送信の一部が前記第１のＭＡＣインスタンスに関連づけられるとともに前記１つまたは複数のセルの第２のグループに関連付けられた送信の一部が前記第２のＭＡＣインスタンスに関連づけられるような、非同期のサブフレームのタイミングを利用することを特徴とする請求項１３に記載のＷＴＲＵ。
【請求項１５】
前記第１の送信が前記第１タイプのＵＣＩを含み、前記第２の送信が前記第２タイプのＵＣＩを含み、前記物理レイヤエンティティは、前記第１の送信と前記第２の送信に電力を割り当てるときに、前記第１のタイプのＵＣＩを含む前記第１の送信を前記第２のタイプのＵＣＩを含む前記第２の送信より優先するように構成されることを特徴とする請求項１４に記載のＷＴＲＵ。
【請求項１６】
前記第２の送信に割り当てられる電力は、前記第１のタイプのＵＣＩを含む前記第１の送信および前記第２のタイプのＵＣＩを含む前記第２の送信に基づいて増減されることを特徴とする請求項１５に記載のＷＴＲＵ。
【請求項１７】
前記第１のタイプのＵＣＩはハイブリッド自動再送要求（ＨＡＲＱ）ＡＣＫ／ＮＡＣＫフィードバックに対応し、前記第２のタイプのＵＣＩはチャネル状態情報（ＣＳＩ）フィードバックに対応することを特徴とする請求項１３に記載のＷＴＲＵ。
【請求項１８】
前記物理レイヤエンティティは、前記ＭＡＣインスタンスに関連付けられた送信および前記第２のＭＡＣインスタンスに関連付けられた第２の送信のそれぞれに関する電力ヘッドルーム情報を前記第１のサービングサイトにレポートするように構成されることを特徴とする請求項１３に記載のＷＴＲＵ。
【請求項１９】
前記１つまたは複数の優先度規則は、優先度規則の階層化されたセットに対応ており、前記第１の送信および前記第２の送信が同じタイプのＵＣＩを含むことを条件に、前記第１のＭＡＣインスタンスおよび前記第２のＭＡＣインスタンスに関連付けられたＭＡＣインスタンスのタイプに基づいて、少なくとも送信電力の一部が前記第１の送信と前記第２の送信との間で割り当てられ、主ＭＡＣインスタンス（primary MAC instance）が副ＭＡＣインスタンス（secondary MAC instance）よりも優先されることを特徴とする請求項１８に記載のＷＴＲＵ。